(57)【特許請求の範囲】
【請求項１】
ゲーム機の筐体とこの筐体に開閉回動可能に設けられた扉とのいずれか一方に固定された係合部材と、上記筐体と上記扉とのいずれか他方に、上記係合部材に係合した係合位置と、上記係合部材との係合が解除した係合解除位置との間を変位可能に設けられた鉤部材と、作動片を有し上記扉に設けられた錠前とを備え、上記錠前の開操作による上記作動片の開変位に連動して上記鉤部材が上記係合位置から上記係合解除位置まで変位させられるゲーム機の施錠装置において、
上記筐体と上記扉とのいずれか一方に、上記鉤部材の上記係合位置から上記係合解除位置側への所定の位置を越える変位を阻止するロック位置と、上記鉤部材の上記係合位置から上記係合解除位置までの変位を許容するロック解除位置との間を変位可能に設けられ、上記作動片の開変位によって上記ロック位置から上記ロック解除位置まで変位させられるロック部材と、このロック部材を上記係合解除位置から上記係合位置に向かって付勢する付勢手段と、上記筐体と上記扉とのいずれか他方に設けられた当接部材とをさらに備え、上記扉が所定の第１位置から第２位置まで閉回動するときには、上記ロック部材が上記当接部材によって上記ロック位置から上記ロック解除位置まで変位させられ、上記扉が所定の通過位置を越えて閉回動すると、上記当接部材が上記ロック部材から離間することによって上記ロック部材の上記ロック位置側への回動が許容されて、上記ロック部材が上記付勢手段によって上記ロック解除位置から上記ロック位置まで変位させられ、上記扉が上記閉位置から所定の第３位置まで開回動すると、上記当接部材が上記ロック位置に位置している上記ロック部材に突き当たることにより、上記扉の上記第３位置を越える開回動が阻止されることを特徴とするゲーム機の施錠装置。
【請求項２】
上記ロック部材が上記筐体と上記扉とのいずれか一方に上記ロック位置と上記ロック解除位置との間を回動可能に設けられ、上記扉が上記第１位置から上記第２位置まで閉回動するときには、上記当接部材が上記ロック部材に突き当たることによって上記ロック位置から上記ロック解除位置まで回動させられ、上記扉が上記通過位置を越えて閉回動すると、上記当接部材が上記ロック部材から離間することにより、上記ロック部材が上記付勢手段によって上記ロック解除位置から上記ロック位置まで回動させられることを特徴とする請求項１に記載のゲーム機の施錠装置。
【請求項３】
上記鉤部材が上下に離間して二つ設けられるとともに、この二つの鉤部材に対応して上記係合部材が二つ設けられ、上記二つの鉤部材が互いに逆方向に向かって変位するように連結され、上記二つの鉤部材の一方に上記ロック部材が位置固定して設けられ、上記ロック部材は、上記ロック位置に位置しているときには、他方の鉤部材の上記係合位置から上記係合解除位置側への所定の位置を越える変位を阻止することを特徴とする請求項２に記載のゲーム機の施錠装置。
【請求項４】
上記扉が上記第２位置から上記通過位置まで閉回動するときには、上記当接部材が上記ロック解除位置に位置しているロック部材に突き当たることによって上記ロック部材が上記一方の鉤部材と一緒に上記係合位置から上記係合解除位置まで変位させられることを特徴とする請求項２又は３に記載のゲーム機の施錠装置。
【発明の詳細な説明】
【技術分野】
【０００１】
この発明は、パチスロ機やパチンコ機等のゲーム機の筐体と扉との間に設けられる施錠装置に関する。
【背景技術】
【０００２】
一般に、この種の施錠装置は、下記特許文献１に記載されているように、扉の上下両端部に配置された一対の鉤部材を有している。一対の鉤部材は、係合位置と係合解除位置との間を回動可能であり、ばねによって係合解除位置から係合位置に向かって付勢されている。一方、ゲーム機の筐体には、一対の係合部材が設けられている。この一対の係合部材は、扉が閉位置に位置しているときに鉤部材が係合解除位置から係合位置に回動すると、一対の鉤部材とそれぞれ係合する。これによって、扉が閉位置に維持される。
【０００３】
扉には、シリンダ錠が設けられている。このシリンダ錠を開操作すると、一対の鉤部材がシリンダ錠の作動片によって係合位置から係合解除位置まで回動させられ、鉤部材と係合部材との係合が解除される。これにより、扉が閉位置から開回動可能になる。
【０００４】
また、従来の施錠装置においては、ロック部材が用いられている。ロック部材は、鉤部材がシリンダ錠によらずに不正に係合位置から係合解除位置まで回動させられることを防止する。これにより、扉が不正に開かれることを防止し、ひいてはゲーム機に不正が行われることを防止することができる。
【０００５】
【特許文献１】特開２００３−７０９６８号公報
【発明の開示】
【発明が解決しようとする課題】
【０００６】
上記従来の施錠装置においては、一つのロック部材が一つの不正防止手段として用いられているので、複数の不正防止手段を用いる際には複数のロック部材が必要になる。その結果、施錠装置の構造が複雑になるとともに、製造費が嵩むという問題があった。
【課題を解決するための手段】
【０００７】
この発明は、上記の問題を解決するために、ゲーム機の筐体とこの筐体に開閉回動可能に設けられた扉とのいずれか一方に固定された係合部材と、上記筐体と上記扉とのいずれか他方に、上記係合部材に係合した係合位置と、上記係合部材との係合が解除した係合解除位置との間を変位可能に設けられた鉤部材と、作動片を有し上記扉に設けられた錠前とを備え、上記錠前の開操作による上記作動片の開変位に連動して上記鉤部材が上記係合位置から上記係合解除位置まで変位させられるゲーム機の施錠装置において、上記筐体と上記扉とのいずれか一方に、上記鉤部材の上記係合位置から上記係合解除位置側への所定の位置を越える変位を阻止するロック位置と、上記鉤部材の上記係合位置から上記係合解除位置までの変位を許容するロック解除位置との間を変位可能に設けられ、上記作動片の開変位によって上記ロック位置から上記ロック解除位置まで変位させられるロック部材と、このロック部材を上記係合解除位置から上記係合位置に向かって付勢する付勢手段と、上記筐体と上記扉とのいずれか他方に設けられた当接部材とをさらに備え、上記扉が所定の第１位置から第２位置まで閉回動するときには、上記ロック部材が上記当接部材によって上記ロック位置から上記ロック解除位置まで変位させられ、上記扉が所定の通過位置を越えて閉回動すると、上記当接部材が上記ロック部材から離間することによって上記ロック部材の上記ロック位置側への回動が許容されて、上記ロック部材が上記付勢手段によって上記ロック解除位置から上記ロック位置まで変位させられ、上記扉が上記閉位置から所定の第３位置まで開回動すると、上記当接部材が上記ロック位置に位置している上記ロック部材に突き当たることにより、上記扉の上記第３位置を越える開回動が阻止されることを特徴としている。
この場合、上記ロック部材が上記筐体と上記扉とのいずれか一方に上記ロック位置と上記ロック解除位置との間を回動可能に設けられ、上記扉が上記第１位置から上記第２位置まで閉回動するときには、上記当接部材が上記ロック部材に突き当たることによって上記ロック位置から上記ロック解除位置まで回動させられ、上記扉が上記通過位置を越えて閉回動すると、上記当接部材が上記ロック部材から離間することにより、上記ロック部材が上記付勢手段によって上記ロック解除位置から上記ロック位置まで回動させられることが望ましい。
上記鉤部材が上下に離間して二つ設けられるとともに、この二つの鉤部材に対応して上記係合部材が二つ設けられ、上記二つの鉤部材が互いに逆方向に向かって変位するように連結され、上記二つの鉤部材の一方に上記ロック部材が位置固定して設けられ、上記ロック部材は、上記ロック位置に位置しているときには、他方の鉤部材の上記係合位置から上記係合解除位置側への所定の位置を越える変位を阻止することが望ましい。
上記扉が上記第２位置から上記通過位置まで閉回動するときには、上記当接部材が上記ロック解除位置に位置しているロック部材に突き当たることによって上記ロック部材が上記一方の鉤部材と一緒に上記係合位置から上記係合解除位置まで変位させられることが望ましい。
【発明の効果】
【０００８】
上記特徴構成を有するこの発明によれば、ロック部材は、鉤部材が係合位置から係合解除位置側へ所定の位置を越えて回動することを防止する。しかも、ロック部材は、扉が閉位置から開回動するときには、当接部材に突き当たることによって扉の開回動を阻止する。ロック部材が二つの不正防止手段に兼用されているので、その分だけロック部材の数を減らすことができる。
【発明を実施するための最良の形態】
【０００９】
以下、この発明を実施するための最良の形態を、図面を参照して説明する。
図１〜図１５は、この発明の一実施の形態を示す。この実施の形態は、図１及び図２に示すパチスロ機（ゲーム機）１にこの発明を適用したものであり、パチスロ機１は、筐体２と扉３とを有している。筐体２は、前面が開放された略四角形の箱状に形成されている。筐体２の前面部の一側部（図１及び図２において左側部）には、扉３の一側部が鉛直線に対して若干傾斜した軸線を中心として回動可能に連結されている。扉３は、鉛直な軸線を中心として筐体２に回動可能に連結してもよい。筐体２の前面部の他側部と扉３の他側部との間には、この発明に係るゲーム機の施錠装置４が設けられている。
【００１０】
施錠装置４は、扉３を筐体２の前面開口部を閉じた閉位置に係合するためのものであり、扉３が開位置側から閉位置まで回動すると、扉３を筐体２に閉位置において自動的に係止する。扉３が閉位置に位置しているときにシリンダ錠６７を開操作すると、扉３の筐体２に対する係止状態を解除し、扉３が閉位置から開位置側へ回動可能になる。その一方、シリンダ錠６７によらずに扉３が不正に開回動されることは、三重に防止されている。
【００１１】
また、このパチスロ機１においては、ゲーム中に扉３を閉位置から開回動させるとゲームが中断される。扉３を閉位置に回動させた後、施錠装置１のシリンダ錠６７をリセット操作すると、リセットスイッチＲＳがＯＮ状態になり、ゲームが再開される。このような構成は、従来のパチスロ機と同様である。しかし、この施錠装置４では、リセット時に扉３が閉位置に確実に係止されていない場合には、シリンダ錠６７をリセット操作することができず、ゲームを再開することができなくなっている。
【００１２】
このような機能を有する施錠装置４についてその詳細な構成を説明すると、施錠装置４は、筐体側ユニット５及び扉側ユニット６を備えている。筐体側ユニット５は、筐体２の前面側（扉３側）の他側部内面に取り付けられている。扉側ユニット６は、扉３の背面側（筐体２側）の他側部内面に取り付けられている。
【００１３】
まず、筐体側ユニット５について説明すると、筐体側ユニット５は、図１〜図６に示すように、筐体側取付プレート５１を有している。取付プレート５１は、金属製の板材からなるものであり、その長手方向を上下方向に向けて配置され、筐体２の他側部内面の前端部（扉３側の端部）に沿って固定されている。図３に示すように、取付プレート５１の外側（扉３側）の側部は、階段状に折り曲げられており、筐体２の他側部内面に形成された凹部２ａとにより取付プレート５１に沿って上下に延びる断面長方形状の収容空間Ｓを形成している。取付プレート５１の外側の側部は、筐体２の前面から所定距離だけ前方に突出させられている。
【００１４】
筐体ユニット５は、上側鉤部材（上側連結部材）５２及び下側鉤部材（下側連結部材）５３をさらに有している。上側鉤部材５２は、上下に長い金属製の板材からなるものであり、取付プレート５１に沿って配置されている。上側鉤部材５２の上側の大部分は、収容空間Ｓ内に収容されている。上側鉤部材５２の上端部には、上下に延びるガイド孔５２ａが形成されている。このガイド孔５２ａには、取付プレート５１に固定されたガイド軸Ｇ１が上下方向へ相対移動可能に挿入されている。これにより、上側鉤部材５２の上端部が取付プレート５１に上下方向へ移動可能に連結されている。上側鉤部材５２の上端部には、鉤部（鉤部材）５２ｂが形成されている。この鉤部５２ｂは、上側鉤部材５２の外側（扉３側）の側部に配置されており、取付プレート５１に形成された貫通孔５１ａを通って収容空間Ｓから扉３側に向かって突出している。鉤部５２ｂの上面には、係合凹部５２ｃが形成されている。この係合凹部５２ｃの底部は、半円状に形成されている。取付プレート５１の上端部の外側の側部には、切欠き部５１ｅが形成されている。この切欠き部５１ｅは、係合凹部５２ｃの半円状をなす底部のうちの筐体２の奥側（扉３から離間する側）に位置する部分と対向するように配置されており、当該部分とほぼ同一形状、同一寸法に形成されている。上側鉤部材５２の下端部は、取付プレート５１に形成された貫通孔５１ｂを通って収容空間Ｓ内から突出し、取付プレート５１の前面（筐体２の一側部側を向く面；図４において左方を向く面）に沿って下方へ延びている。上側鉤部材５２の下端部には、上下に延びるガイド孔５２ｄが形成されている。このガイド孔５２ｄには、取付プレート５１に固定されたガイド軸Ｇ２が上下方向へ相対移動可能に挿入されている。これにより、上側鉤部材５２の下端部が取付プレート５１に上下方向へ移動可能に連結されている。
【００１５】
下側鉤部材５３は、上下に長い金属製の板材からなるものであり、その下側の大部分が収容空間Ｓ内に収容されている。下側鉤部材５３の下端部には、鉤部（鉤部材）５３ｂが形成されている。この鉤部５３ｂは、下側鉤部材５３の外側の側部に配置されており、取付プレート５１に形成された貫通孔５１ｃを通って収容空間Ｓから扉３側に向かって突出している。鉤部５３ｂの下面には、係合凹部５３ｃが形成されている。この係合凹部５３ｃは、係合凹部５２ｃと上下対称に配置形成されている。取付プレート５１の下端部の外側の側部には、切欠き部５１ｆが形成されている。この切欠き部５１ｆは、係合凹部５３ｃの半円状をなす上底部の筐体２の奥側（扉３から離間する側）に位置する部分と対向するように配置されており、当該部分とほぼ同一形状、同一寸法に形成されている。下側鉤部材５３の上端部は、取付プレート５１に形成された貫通孔５１ｄを通って収容空間Ｓから突出し、取付プレート５１の前面に沿って上方へ延びている。下側鉤部材５３の上端部には、上下方向に延びるガイド孔５３ａが形成されている。このガイド孔５３ａには、ガイド軸Ｇ２が上下方向へ相対移動可能に挿入されている。これにより、下側鉤部材５３が取付プレート５１に上下方向へ移動可能に連結されている。
【００１６】
上側鉤部材５２と下側鉤部材５３とは、一方が上方へ移動すると他方が下方へ移動するように連結されている。すなわち、ガイド軸Ｇ２には、揺動部材５４の中央部が回動可能に設けられている。揺動部材５４の一端部は、上側鉤部材５２の下端部に軸Ｊ１を介して回動可能に、かつ水平方向へ相対移動可能に連結されている。揺動部材５４の他端部は、下側鉤部材５３の上端部に軸Ｊ２を介して回動可能に、かつ水平方向へ相対移動可能に連結されている。したがって、上側鉤部材５２と下側鉤部材５３との一方が上方（下方）へ移動すると、それと同時に他方が一方と同一距離だけ下方（上方）へ移動する。上側及び下側鉤部材５２，５３の移動範囲は、ガイド軸Ｇ１とガイド孔５２ａとによって、又はガイド軸Ｇ２とガイド孔５２ｄ若しくはガイド孔５３ａとによって、上下の鉤部５２ｃ，５３ｃが上下方向において互いに最も大きく離間した係合位置と、上下の鉤部５２ｃ，５３ｃが上下方向において互いに最も接近した係合解除位置との間に規制されている。
【００１７】
下側鉤部材５３と取付部材５１との間には、付勢手段５５が設けられている。この付勢手段５５は、コイルばね、その他のばねからなるものであり、下側鉤部材５３を下方へ付勢している。したがって、付勢手段５５は、下側鉤部材５３及び揺動部材５４を介して上側鉤部材５２を上方へ付勢している。上側鉤部材５２及び下鉤部材５３は、通常時は、付勢手段５５の付勢力によって係合位置に位置させられている。
【００１８】
上側鉤部材５２の下端部には、ロック部材５６が水平な軸Ｊ３を介して回動可能に連結されている。このロック部材５６は、それと上側鉤部材５２との間に設けられたコイルばね、その他のばねからなる付勢手段５７により図５の時計方向へ回動付勢されている。ロック部材５６には、扉３側を向く当接板部５６ａが形成されている。この当接板部５６ａの扉３側を向く前面が上側鉤部材５２に突き当たると、ロック部材５６はそれ以上時計方向へ回動することができなくなる。以下、このときのロック部材５６の回動位置をロック位置という。ロック部材５６は、扉３の開閉時を除く通常時には、付勢手段５７によってロック位置に位置させられている。
【００１９】
ロック部材５６の下端部には、突出部５６ｂが形成されている。この突出部５６ｂは、ロック位置に位置しているロック部材５６が上側鉤部材５２と一緒に係合位置から係合解除位置側へ向かって所定距離だけ下方へ移動すると（このとき、下側鉤部材５３は、係合位置から係合解除位置側へ向かって所定距離だけ上方へ移動している。）、下側鉤部材５３の上端部に形成された突出部５３ｄに突き当たる。その結果、上側及び下側鉤部材５２，５３がそれ以上係合解除位置側へ移動不能になる。ただし、ロック部材５６が後述するロック解除位置に位置しているときには、突出部５６ｂが突出部５３ｄに突き当たることがなく、上側及び下側鉤部材５２，５３は、係合位置と係合解除位置との間を自由に移動することができる。
【００２０】
取付プレート５１には、金属製の板材からなる支持部材５８が固定されている。この支持部材５８は、ガイド部５８ａと支持板部５８ｂとを有している。ガイド部５８ａは、筐体２の前側（扉３側）から奥側へ向かうにしたがって上方へ向かうように傾斜させられている。支持板部５８ｂは、ガイド部５８ａから筐体２の奥側へ向かって水平に延びている。
【００２１】
次に、扉側ユニット６について説明すると、扉側ユニット６は、図１〜図３及び図７〜図９に示すように、扉側取付プレート６１を有している。取付プレート６１は、金属製の板材からなるものであり、左右の両側部を互いに対向するように折り曲げることにより断面「コ」字状に形成されている。取付プレート６１は、その長手方向を上下方向に向けた状態で扉３の他側部内面に沿って固定されている。しかも、取付プレート６１は、その開放部を筐体２側に向けた状態で配置されており、扉３が閉位置に回動すると筐体側取付プレート５１の筐体２から外側に突出した側部が扉側取付プレート６１の内部に入り込み、取付プレート６１の両側壁部６１ａ，６１ｂが筺体側取付プレート５１の側部と対向する。
【００２２】
取付プレート６１の上端部には、係合ローラ（係合部材）６２Ａが水平な軸Ｊ４を介して回動自在に設けられ、取付プレート６１の下端部には、係合ローラ（係合部材）６２Ｂが水平な軸Ｊ５を介して回動自在に設けられている。係合ローラ６２Ａ，６２Ｂは、断面円径をなしており、係合凹部５２ｃ、５３ｃの底部とほぼ同一の曲率半径を有している。各係合ローラ６２Ａ，６２Ｂは、扉３が閉位置に位置している状態において、上側及び下側鉤部材５２，５３が係合解除位置から係合位置まで移動すると、係合凹部５２ｂ、５３ｂにその開放部から各底部に突き当たるまで入り込み、その状態から上側及び下側鉤部材５２，５３が係合解除位置まで移動すると、係合凹部５２ｂ，５３ｂからそれぞれ脱出するように配置されている。各係合ローラ６２Ａ，６２Ｂが係合凹部５２ｃ，５３ｃにそれぞれ入り込むことにより、扉３が筐体２の前面に突き当たってその開口部を閉じた閉位置に保持される。係合ローラ６２Ａ，６２Ｂは、係合凹部５２ｃ，５３ｃの底部に突き当たっているとき、係合ローラ６２Ａ，６２Ｂの筺体２側の側部が切欠き部５１ｅ，５１ｆにそれぞれ入り込む。これにより、係合ローラ６２Ａ，６２Ｂを筺体２により接近させることができ、その結果筺体側取付プレート５１の側部を扉側取付プレート６１内へより大きく進入させることができるようになっている。
【００２３】
取付プレート６１の両側壁部６１ａ，６１ｂのうちの、扉３の一側部側（図３において左側）に位置する側壁部６１ｂは、その中央部が切り欠かれている。そして、取付プレート６１の底壁部６１ｃの中央部には、当該切欠き部から扉３の一側部側へ向かって突出する支持板部６１ｄが形成されている。この支持板部６１ｄの筐体２側を向く面には、位置調節板６３が扉３の前面に沿う水平方向（図３において左右方向）へ位置調節可能に固定されている。
【００２４】
位置調節板６３は、金属製の板材を直角に屈曲させてなるものであり、支持板部６１ｄに図３の左右方向へ位置調節可能に固定された基部６３ａと、この基部６３ａから筐体２側へ突出する直立板部６３ｂとを有している。直立板部６３ｂの上端部には、支持ローラＲ１が回転自在に設けられている。この支持ローラＲ１は、扉３が開位置側から閉位置の若干手前の所定位置まで回動すると、支持部材５８のガイド部５８ａに接してその上を転動し始める。そして、扉３が閉位置に達するまでにガイド部５８ａを越え、扉３が閉位置に達したときには、支持板部５８ｂ上に乗っている。これにより、扉３の他側部が筺体２に上下方向において所定の位置に支持されるようになっている。
【００２５】
直立板部６３ｂの上下方向における中間部には、当接ローラ（当接部材）Ｒ２が回転自在に設けられている。この当接ローラＲ２は、図１１に示すように、上側及び下側鉤部材５２，５３が係合位置に位置し、かつロック部材５６がロック位置に位置している状態において、扉３が閉回動して閉位置の所定距離だけ手前の位置（第１位置）に達すると、ロック部材５６の当接板部５６ａの前面に突き当たるように配置されている。当接ローラＲ２が当接板部５６ａに突き当たった状態において、扉３がさらに閉回動すると、当接ローラＲ２が当接板部５６ａを筐体２の奥側へ向かって押す。その結果、ロック部材５６が付勢手段５７の付勢力に抗して図５の反時計方向へ回動させられる。ロック部材５６は、当接板部５６ａの下端部が上側鉤部材５２に突き当たるとそれ以上反時計方向へ回動することができなくなる（図１２参照）。以下、このときのロック部材５６の回動位置をロック解除位置という。ロック部材５６がロック解除位置に回動したときの扉３の位置が第２位置である。ロック部材５６がロック解除位置に位置しているときには、下側鉤部材５３がロック部材５６に突き当たることがない。したがって、上側及び下側鉤部材５２，５３は、係合位置と係合解除位置との間を自由に移動することができる。
【００２６】
図１２及び図１３に示すように、ロック部材５６がロック解除位置に位置している状態においては、当接板部５６ａがロック部材５６のロック位置からロック解除位置までの回動角度の分だけ筐体２の奥側へ向かうにしたがって上方へ向かうように傾斜している。したがって、ロック部材５６がロック解除位置に位置した状態で扉３をさらに閉回動させると、当接ローラＲ２が当接板部５６ａを下方へ押す。これにより、上側及び下側鉤部材５２，５３が付勢手段５５の付勢力に抗して係合位置から係合解除位置側へ移動させられる。そして、扉３が閉位置の直前の所定位置（通過位置）まで達すると、図１３に示すように、当接ローラＲ２の最下部が当接板部５６ａの上端部と接触する。このときには、上側及び下側鉤部材５２，５３が係合解除位置まで移動させられている。扉３がさらに閉位置側へ回動すると、その瞬間に当接ローラＲ２が当接板部５６ａを乗り越えて当接板部５６ａから離間する。すると、図１４に示すように、ロック部材５６が付勢手段５７の付勢力によってロック位置まで回動させられる。
【００２７】
ロック部材５６がロック位置に回動した状態においては、当接板部５６ａの背面（筐体２の奥側を向く面）に形成された第２当接板部５６ｄが当接ローラＲ２と対向する。したがって、扉３を閉位置から所定の位置（第３位置）まで開回動させると、当接ローラＲ２が第２当接板部５６ｄに突き当たる。これにより、扉３の所定の位置を越える開回動が阻止される。また、ロック部材５６がロック位置に回動した状態においては、付勢手段５５によって付勢された上側及び下側鉤部材５２，５３が係合解除位置から係合位置側へ向かって移動しようとするが、上側鉤部材５２の鉤部５２ｂの上面及び下側鉤部材５３の鉤部５３ｂの上面が係合ローラ６２Ａ、６２Ｂとほぼ接触している。したがって、上側及び下側鉤部材５２，５３が係合解除位置から係合位置側へ向かって移動することはほとんどない。
【００２８】
扉３がさらに閉回動して閉位置に達すると、図１４に示すように、鉤部５２ｂ，５３ｂの係合凹部５２ｃ，５３ｃと係合ローラ６２Ａ，６２Ｂとがそれぞれ対向する。この結果、上側及び下側鉤部材５２，５３が付勢手段５５によって係合位置まで移動させられ、係合ローラ６２Ａ，６２Ｂが係合凹部５２ｃ，５２ｄの底部にそれぞれ嵌り込む。これにより、鉤部５２ｂ，５３ｂと係合ローラ６２Ａ，６２Ｂとがそれぞれ確実に係合し、扉３が閉位置に係合される。
【００２９】
直立板部６３ｂには、操作板６４が軸Ｊ６を介して上下方向へ所定範囲移動可能に設けられている。この操作板６４と直立板部６３ｂとの間には、リセット板（中間部材）６５が軸Ｊ６及び軸Ｊ７を介して上下方向へ所定範囲移動可能に設けられている、操作板６４とリセット板６５との間には、コイルばね、その他のばねからなる付勢手段６６が設けられている。この付勢手段６６は、操作板６４とリセット板６５が互いに接近するよう、操作板６４を下方に付勢する一方、リセット板６５を上方に付勢している。これにより、後述するシリンダ錠６７の操作時以外には、操作板６４が下限界位置に位置させられるとともに、リセット板６５が上限界位置に位置させられている。
【００３０】
位置調節板６３の基部６３ａには、シリンダ錠（錠前）６７がその長手方向を扉３の前面とほぼ直交する方向に向けて設けられている。シリンダ錠６７は、扉３に形成された挿通孔３ａ（図３参照）を貫通して扉３から前方に突出している。ここで、シリンダ錠６７と挿通孔３ａとの左右方向の位置が、製造誤差や機種によって合わないことがあるが、その場合には、位置調節板６３の扉側取付プレート６１に対する左右方向の取付位置を適宜調節することにより、シリンダ錠６７を挿通孔３ａに確実に挿通することができる。勿論、位置調節板６３を取付プレート６１に対して上下方向へ位置調節可能にすれば、シリンダ錠６７と挿通孔３ａとの上下方向の位置ずれを吸収することができる。
【００３１】
シリンダ錠６７のシリンダ軸６７ａの筐体２側の端部には、略「く」字状をなす作動片６７ｂが固定されている。シリンダ錠６７に鍵（図示せず）を挿入して、作動片６７ｂを図７に示す中立位置から反時計方向（一方向）へ向かって開錠位置まで回動（開操作）させると、その一端部（図７において下端部）が下限界位置に位置している操作板６４に突き当たり、操作板６４を付勢手段６６の付勢力に抗して所定の位置まで上方へ移動させる。後述するように、操作板６４が所定の位置まで上方へ移動すると、それによって上側及び下側鉤部材５２，５３が係合解除位置まで移動させられる。そこで、操作板６４の所定の位置も係合解除位置という。操作板６４が上方へ移動させられるとき、リセット板６５は、上限界位置に位置しているので、操作板６４の上方への移動に伴って上方へ移動することはない。逆に、作動片６７ｂを中立位置から時計方向（他方向）へ向かってリセット位置まで回動（リセット操作）させると、その上端部が上限界位置に位置しているリセット板６５に突き当たり、リセット板６５を付勢手段６６の付勢力に抗して所定の位置（以下、リセット位置という。）まで下方へ移動させる。このとき、操作板６４は、下限界位置に位置しているので、リセット板６５の下方への移動に伴って下方へ移動することはない。
【００３２】
操作板６４には、二つの突出部６４ａ，６４ｂが形成されている。一方の突出部６４ａは、扉３が閉位置に位置しているときに操作板６４を下限界位置から上方へ移動させると、ロック部材５６の下端部に形成された傾斜面５６ｃに突き当たり、ロック部材５６をロック位置からロック解除位置まで回動させる。他方の突出部６４ｂは、下側鉤部材５３に形成された係合片５３ｄに突き当たり、一方の突出部６４ａがロック部材５６をロック位置からロック解除位置まで回動させるのと同時に、下側鉤部材５３を係合位置から係合解除位置まで移動させる。このように、下側鉤部材５３が操作板６４によって上方へ移動させられるときには、それと同時にロック部材５６が操作板６４によってロック位置からロック解除位置へ回動させられるので、下側鉤部材５３が操作板６４によって係合位置から解除位置へ移動させられるときには、下側鉤部材５３がロック部材５６に突き当たることがない。なお、下側鉤部材５３が係合位置から係合解除位置まで上方へ移動するのと同時に、上側鉤部材５２が係合位置から係合解除位置まで下方へ移動する。
【００３３】
リセット板６５には、二つの突出部６５ａ，６５ｂが形成されている。一方の突出部６５ａは、扉３が閉位置に位置しているときにリセット板６５が上限界位置からリセット位置まで下方へ移動させられると、直立板部６３ｂに設けられた近接スイッチ等からなるリセットスイッチＲＳに接近し、リセットスイッチＲＳをＯＦＦ状態からＯＮ状態にする。これにより、扉３が閉位置から開かれることによって中断していたゲームが再開される。他方の突出部６５ｂは、扉３を閉位置に位置させたにも拘わらず、下側鉤部材５３が係合位置に移動しておらず、係合解除位置と係合位置との間に位置しているとき、つまり係合ローラ６２Ａ，６２Ｂが鉤部５２ｂ，５３ｂの係合凹部５２ｃ，５３ｃの底部まで達しておらず、それらが不完全な状態で係合しているときには、リセット板６５が下方へ移動すると、下側鉤部材５３の係合片５３ｅの上面に突き当たって下側鉤部材５３を係合位置まで移動させる。これにより、リセットスイッチＲＳがリセットされた（ＯＦＦ状態からＯＮ状態に切り換えられた）ときには、鉤部５２ｂ，５３ｂと係合ローラ６２Ａ，６２Ｂとが確実に係合するように構成されている。換言すれば、鉤部５２ｂ，５３ｂと係合ローラ６２Ａ，６２Ｂとが確実に係合しない限り、リセットスイッチＲＳがＯＦＦ状態からＯＮ状態に切り換わることがなく、ゲームを再開することができなくなっている。これにより、不完全な状態で閉じられた扉３が開けられてゲームが不正に行われることが未然に防止されている。
【００３４】
上記構成のパチスロ機１において、いま扉３が閉じているものとする。この状態では、図３に示すように、筐体側取付プレート５１の外側の側部が扉側取付プレート６１内に入り込んでいる。したがって、扉３を不正に開けるために、例えば筐体２と扉３との間の符号Ａで示す隙間から針金（図示せず）等を差し込んで上側鉤部材５２を下方へ移動させる場合には、隙間Ａから挿入した針金の先端部を、側壁部６１ａと取付プレート５１の側部の間から取付プレート５１の前を通し、さらに筐体２の内側に挿入することになるが、取付プレート５１の側部を通過した針金の先端は側壁部６１ｂに突き当たり、それ以上筐体２の内側へ挿入することができなくなる。その状態では、上側鉤部材５２に引っ掛かった針金によって上側鉤部材５２を下に向かって移動させようとしても、上側鉤部材５２に対する引っ掛かり部から先端縁までの針金の長さ（＝取付プレート５１と側壁部６１ｂとの間の距離）が短いため、針金が上側鉤部材５２から簡単に外れてしまう。このため、上側鉤部材５２を不正に移動させることが非常に困難になる。これは、下側鉤部材５３を不正に移動させる場合も同様である。したがって、扉３を不正に開くことができない。
【００３５】
仮に、上側鉤部材５２又は下側鉤部材５３を針金によって係合位置から係合解除位置側へ向かって移動させることができたとしても、それらが係合位置から係合解除位置に至る前に下側鉤部材５３がロック部材５６に突き当たる。したがって、上側鉤部材５２及び下側鉤部材５３は、係合位置から僅かに移動させることができたとしても係合解除位置までは移動させることができない。よって、鉤部５２ｂ，５３ｂと係合ローラ６２Ａ，６２Ｂとの係合状態が解除することがない。これにより、扉３の不正な開操作がより一層確実に防止されている。
【００３６】
さらに、上記のような上側及び下側鉤部材５２，５３の不正移動防止機構の存在にも拘わらず、上側及び下側鉤部材５２，５３が仮に係合解除位置まで移動させられて鉤部５２ｂ，５３ｂと係合ローラ６２Ａ，６２Ｂとの係合が解除されたとしても、それだけでは上記パチスロ機１の扉３を不正に開くことができない。すなわち、上記のように、扉３の開位置側から閉位置側への移動に伴って当接ローラＲ２がロック部材５６の当接板部５６ａを乗り越えると、ロック部材５６がロック位置まで戻る。この状態で扉３を開こうとすると、当接ローラＲ２が第２当接板部５６ｄに突き当たり、ロック部材５６をロック解除位置からロック位置へ向かう方向へ回動させようとする。ところが、ロック部材５６は、ロック位置を越えて回動することができない。したがって、当接ローラＲ２が第２当接板部５６ｄに突き当たるとそれ以上扉３を開くことができない。これによって、扉３の不正な開動作が防止され、ひいてはゲーム機に対する不正がより一層確実に防止されている。
【００３７】
閉位置に位置している扉３は、シリンダ錠６７を開操作することによって開くことができる。その場合には、まずシリンダ錠６７に鍵を挿入して作動片６７ｂを中立位置から図７の反時計方向へ向かって開錠位置まで回動させる。すると、上側及び下側鉤部材５２，５３が係合位置から係合解除位置まで移動し、係合ローラ６２Ａ，６２Ｂが係合凹部５２ｃ、５３ｃからそれぞれ脱出する。これと同時に、ロック部材５６がロック位置からロック解除位置まで回動する。したがって、その状態を維持することにより、扉３を閉位置から開回動させることができる。
【００３８】
ここで、扉３を閉位置から所定の微小角度（例えば２°程度）以上開位置側へ開回動させると、操作板６４が下側鉤部材５３及びロック部材５６から離間する。その結果、下側鉤部材５３が係合位置に向かって下方へ移動しようとすると共に、ロック部材５６がロック解除位置からロック位置まで回動しようとする。仮に、操作板６４が下側鉤部材５３及びロック部材５６から離間すると同時にロック部材５６がロック位置まで回動すると、当接ローラＲ２がロック部材５６の当接板部５６ａに突き当たり、その結果扉３の開回動が阻止されてしまう。しかし、当接ローラＲ２がロック部材５６の当接板部５６ａを筐体２の内側から外側へ向かう方向に通り過ぎるまでは、ロック部材５６がロック位置に戻ることはない。
【００３９】
すなわち、操作板６４が下側鉤部材５３及びロック部材５６から離間し、その結果上側及び下側鉤部材５２，５３が係合解除位置から係合位置側へ移動すると、鉤部５２ｂの上面及び鉤部５３ｂの下面が直ちに係合ローラ６２Ａ，６２Ｂに突き当たる。それにより、上側及び下側鉤部材５２，５３の係合位置側への移動が阻止される。すると、ロック位置側へ回動し始めたロック部材５６が下側鉤部材５３の上端部に直ちに突き当たり、それ以上ロック位置側へ回動することができなくなる。このような状態は、当接ローラＲ２がロック部材５６の当接板部５６ａを通過するまで維持される。したがって、扉３を開位置まで開回動させることができる。なお、扉３が閉位置から開位置側へ向かって回動すると、パチスロ機１に設けられた停止装置（図示せず）が扉３の開動作を検知してゲームを自動的に中断する。中断されたゲームは、リセットスイッチＲＳをＯＮ操作しない限り再開することができない。
【００４０】
開いた扉３は、閉位置まで単に回動させるだけで閉位置に自動的に係合することができる。上記のように、扉３を閉位置まで移動させると、当接ローラＲ２が当接板部５６ａに突き当たり、ロック部材５６をロック位置からロック解除位置まで回動させた後、ロック部材５６、上側鉤部材５２及び下側鉤部材５３を係合位置から係合解除位置まで移動させる。当接ローラＲ２が当接板部５６ａを通過すると、ロック部材５６がロック解除位置からロック位置まで戻る。その後、上側及び下側鉤部材５２，５３が係合解除位置から係合位置まで移動して鉤部５２ｂ，５３ｂが係合ローラ６２Ａ，５２Ｂとそれぞれ係合する。これによって、扉３が閉位置において筐体２に係止される。
【００４１】
扉３の開動作に伴って中断したゲームを再開するためには、上記のように、シリンダ錠６７に鍵を挿入して作動片６７ｂを中立位置から図７の時計方向へリセット位置まで回動させる。すると、リセット板６５がリセットスイッチＲＳに接近してこれをＯＦＦ状態からＯＮ状態に切り換える。
【００４２】
リセット操作時に上側及び下側鉤部材５２，５３が係合位置に移動しておらず、鉤部５２ｂ，５３ｂと係合ローラ６２Ａ，６２Ｂとが正しく係合していない場合には、リセット板６５によって上側及び下側鉤部材５２，５３が係合位置まで移動させられる。したがって、リセットスイッチＲＳがＯＮ状態になるときには、必ず鉤部５２ｂ，５３ｂと係合ローラ６２Ａ，６２Ｂとが正しく係合する。換言すれば、上側及び下側鉤部材５２，５３が係合位置まで移動することができず、鉤部５２ｂ，５３ｂと係合ローラ６２Ａ，６２Ｂとが正しく係合しない場合には、作動片６７ｂ及びリセット板６５がリセット位置まで移動することができない。したがって、リセットスイッチＲＳがＯＦＦ状態からＯＮ状態に切り換わることがない。よって、ゲーム再開後、扉３が開かれて不正が行われるような事態を未然に防止することができる。
【００４３】
なお、この発明は、上記の実施の形態に限定されるものでなく、その要旨を逸脱しない範囲において適宜変更可能である。
例えば、上記の実施の形態においては、筐体２に上側及び下側鉤部材５２，５３を設け、扉３に係合ローラ（係合部材）６２Ａ，６２Ｂを設けているが、これとは逆に筐体２に係合ローラ６２Ａ，６２Ｂを設け、扉３に鉤部材５２，５３を設けてもよい。また、上記特許文献１に記載された周知の施錠装置のように、鉤部５２ｂ，５３ｂを独立した部材として取付プレート５１に回動可能に、または上下方向へ移動可能に設け、両鉤部５２ｂ，５３ｂを一つ又な二つの連結部材によって連結してもよい。
また、上記の実施の形態においては、ロック部材５６を上側鉤部材５２に設けているが、筐体２又は扉３に設けてもよい。
【図面の簡単な説明】
【００４４】
【図１】この発明に係る施錠装置が用いられたパチスロ機を、扉を開いた状態で示す斜視図である。
【図２】同パチスロ機を図１と異なる方向から見た斜視図である。
【図３】同パチスロ機の扉を閉じた状態で示す図１のＸ−Ｘ線に沿う拡大断面図である。
【図４】同パチスロ機において用いられている施錠装置の筐体側ユニットを示す図であって、図４（Ａ）はその斜視図、図４（Ｂ）はその分解斜視図である。
【図５】同筐体側ユニットを示す図であって、図５（Ａ）はその正面図、図５（Ｂ）は図５（Ａ）のＢ矢視図である。
【図６】同筐体側ユニットを示す図であって、図６（Ａ）はその背面図、図６（Ｂ）は図６（Ａ）のＢ矢視図である。
【図７】同パチスロ機において用いられている施錠装置の扉側ユニットを示す図であって、図７（Ａ）はその斜視図、図７（Ｂ）はその分解斜視図である。
【図８】同扉側ユニットを示す図であって、図８（Ａ）はその正面図、図８（Ｂ）は図８（Ａ）のＢ矢視図である。
【図９】同扉側ユニットを示す図であって、図９（Ａ）はその背面図、図９（Ｂ）は図９（Ａ）のＢ矢視図である。
【図１０】扉を開位置から閉位置に向かって回動させたときの筐体側ユニットと扉側ユニットとを示す図であって、当接ローラがロック部材に突き当たる以前の状態を示している。
【図１１】筐体側ユニットと扉側ユニットとを当接ローラがロック部材に突き当たった瞬間の状態で示す図である。
【図１２】筐体側ユニットと扉側ユニットとを当接ローラがロック部材をロック解除位置まで回動させた状態で示す図である。
【図１３】筐体側ユニットと扉側ユニットとを当接ローラがロック部材を通過する瞬間の状態で示す図である。
【図１４】筐体側ユニットと扉側ユニットとを、係合ローラが鉤部の係合凹部と対向した状態で示す図である。
【図１５】筐体側ユニットと扉側ユニットとを、係合ローラが鉤部の係合凹部の底部まで入り込んだ状態で示す図である。
【符号の説明】
【００４５】
ＲＳ  リセットスイッチ
Ｒ２  当接ローラ（当接部材）
１  パチスロ機（ゲーム機）
２  筐体
３  扉
５２ｂ  鉤部（鉤部材）
５３ｂ  鉤部（鉤部材）
５６  ロック部材
５７  付勢手段
６２Ａ  係合ローラ（係合部材）
６２Ｂ  係合ローラ（係合部材）
６７  シリンダ錠（錠前）
６７ｂ  作動片
【図１】
0004800107.tif 000002
【図２】
0004800107.tif 000003
【図３】
0004800107.tif 000004
【図４】
0004800107.tif 000005
【図５】
0004800107.tif 000006
【図６】
0004800107.tif 000007
【図７】
0004800107.tif 000008
【図８】
0004800107.tif 000009
【図９】
0004800107.tif 000010
【図１０】
0004800107.tif 000011
【図１１】
0004800107.tif 000012
【図１２】
0004800107.tif 000013
【図１３】
0004800107.tif 000014
【図１４】
0004800107.tif 000015
【図１５】
0004800107.tif 000016